(57)【特許請求の範囲】
【請求項１】
上枠、下枠及び左右の縦枠を四角形枠状に形成してなる枠体と、
前記枠体内で互いに屋内外方向にずれた位置に納められた摺動可能な外障子及び内障子と、
前記枠体の屋内側に配置した網戸用下レール及び網戸用上レールと、
四角形枠状の框体を有していて前記網戸用下レール及び網戸用上レールに走行可能に取り付けた網戸と、
前記網戸の一方の縦框の屋外側に設けられ前記内障子の縦框に当接可能な第一パッキンと、
前記網戸の他方の縦框の屋外側に設けられ前記第一パッキンより屋外方向の突出長さが長くて前記内障子のガラス面に当接または近接可能な第二パッキンと、を備え、
前記網戸の上端部は、前記網戸用上レールよりも屋外側に位置していて前記上枠の最も下方に延びる下端部よりも上方に位置することを特徴とする網戸付き引き違いサッシ。
【請求項２】
前記枠体の屋内側には、前記枠体とは別部材の前記網戸用下レール及び網戸用上レールが取り付けられている請求項１に記載された網戸付き引き違いサッシ。
【発明の詳細な説明】
【技術分野】
【０００１】
本発明は、枠体の屋内側に網戸を設けた網戸付き引き違いサッシに関する。
【背景技術】
【０００２】
従来、引き違い窓では、建物躯体の開口部に設けられる枠体内に外障子と内障子を引き違いで移動可能に取り付けており、このような引き違い窓の屋内側に網戸を備えたものが例えば特許文献１によって提案されている。このような引き違い窓の網戸は、網戸が直接雨風や太陽にさらされることで老朽化が進んだり汚れたりすることを防ぐために、内外障子の屋内側に設置されている。また、高層マンション等では、網戸を内外障子の外側に取り付けると強風等で外れたりするおそれがあるため、やはり内外障子の屋内側に網戸を設置している。
【０００３】
特許文献１に記載された引き違い窓では、枠体を内障子の屋内側に突出させて上枠と下枠に各一条の網戸レールを対向させて形成している。そして、下枠の網戸レールには網戸の下端に設けた戸車を装着し、上枠の網戸レールには網戸の上端に設けた断面略スリット状の溝部を嵌入させている。これによって、網戸は上下の網戸レールに沿って走行可能としている。
また、特許文献１に記載された引き違い窓には、上枠の網戸レールの屋外側に設けた内外障子用レールと、これら内外障子用レールと内外障子の上端溝部との嵌め合い部を雨風から保護するための外側カバーとが備えられている。
【先行技術文献】
【特許文献】
【０００４】
【特許文献１】実開昭６１−１１８７３号公報
【発明の概要】
【発明が解決しようとする課題】
【０００５】
ところで、特許文献１記載の引き違い窓では、内外障子用レールと外側カバーの下端部が網戸の上端部よりも上方に位置するために、網戸の使用時に網戸下端に設けた戸車が外れたり、網戸が傾いたり湾曲したりして上端の溝部が誤って網戸レールから外れると網戸が窓の開口から外側に飛び出すおそれがあった。また、掃除等のために網戸を網戸レールから外す際に、取扱いのミスによって網戸が開口から屋外に飛び出すおそれもあった。
【０００６】
本発明は、このような問題点に鑑みてなされたものであって、網戸が上枠の網戸用上レールから外れたとしても網戸がサッシの開口から外に飛び出すことを防止する網戸付き引き違いサッシを提供することを目的とする。
【課題を解決するための手段】
【０００７】
本発明による網戸付き引き違いサッシは、上枠、下枠及び左右の縦枠を四角形枠状に形成してなる枠体と、前記枠体内で互いに屋内外方向にずれた位置に納められた摺動可能な外障子及び内障子と、枠体の屋内側に配置した網戸用下レール及び網戸用上レールと、四角形枠状の框体を有していて網戸用下レール及び網戸用上レールに走行可能に取り付けた網戸と、前記網戸の一方の縦框の屋外側に設けられ前記内障子の縦框に当接可能な第一パッキンと、前記網戸の他方の縦框の屋外側に設けられ前記第一パッキンより屋外方向の突出長さが長くて前記内障子のガラス面に当接または近接可能な第二パッキンと、を備え、網戸の上端部は、網戸用上レールよりも屋外側に位置していて上枠の最も下方に延びる下端部よりも上方に位置することを特徴とする。
本発明によれば、網戸は枠体の屋内側に設けた網戸用下レールと網戸用上レールに沿って走行可能であり、取り付け状態で網戸の上端部が網戸用上レールよりも屋外側に位置する上枠の下端部よりも上方に位置するため、網戸が網戸用上レールから外れた場合、網戸が引き違いサッシの開口を通して屋外に飛び出そうとしても上枠の下端部に引っかかって停止し、引き違いサッシの開口から屋外に飛び出したりすることを防止できる。
【０００８】
また、枠体の屋内側には、枠体とは別部材の網戸用下レール及び網戸用上レールが取り付けられていることが好ましい。
枠体の屋内側に網戸用下レール及び網戸用上レールを別部材として取り付けることで、窓等のサッシの障子を例えば単層ガラスからペアガラス等の複層ガラスに交換した場合でも障子の屋内側への突出位置に応じて網戸の取り付け位置を調整できる。
【発明の効果】
【０００９】
本発明による網戸付き引き違いサッシによれば、網戸の上端部は枠体の上枠の下方に延びる下端部よりも上方に位置するため、網戸が網戸用上レールから外れて屋外に飛び出そうとしても上枠の下端部に引っかかるため、網戸が引き違いサッシの開口を通して屋外に飛び出したりすることを防止できる。
【図面の簡単な説明】
【００１０】
【図１】本発明の第一実施形態による引き違い窓を屋内側から見た正面図である。
【図２】図１に示す引き違い窓の網戸と内外障子を含む縦断面図である。
【図３】図１に示す引き違い窓の内外障子を閉めた状態の水平断面図である。
【図４】図１に示す引き違い窓の障子を開けた状態の水平断面図である。
【図５】本発明の第二実施形態による引き違い窓の網戸と内外障子を含む縦断面図である。
【図６】図５に示す引き違い窓の内外障子を閉めた状態の水平断面図である。
【図７】本発明の第三実施形態による引き違い窓の網戸と内外障子を含む縦断面図である。
【発明を実施するための形態】
【００１１】
以下、本発明の実施形態による引き違いサッシとしての引き違い窓について図１乃至図７を参照しながら説明する。
図１〜図４は本発明の第一実施形態による引き違い窓１を示すものである。図１は建物の躯体の開口部２に設置した引き違い窓１を示すものであり、開口部２内に枠体３が固定され、枠体３内に外障子４と内障子５が互いに屋内外方向にずれた位置で摺動可能に納められている。枠体３は上枠７と下枠８と左右の縦枠９で四角形枠状に形成されている。また、内障子５の更に屋内側には網戸１０が左右方向にスライド可能に納められている。
【００１２】
そして、図１から図３において、外障子４は上框１２と下框１３と左右の縦框１４とで四角形枠状に形成され、内部に例えばペアガラス等の複層ガラス１５が納められている。同様に内障子５は上框１７と下框１８と左右の縦框１９とで四角形枠状に形成され、内部に例えばペアガラス等の複層ガラス１５が納められている。
また、網戸１０は上框２２、下框２３、左右の縦框２４で四角形枠状に形成され、内部に網２５が張られ、更に高さ方向中央に横材２６が取り付けられている。網２５を張った状態で各框と横材２６によって固定することで網２５によって各框と横材２６を引っ張る構成を有している。しかも、中央に横材２６を連結することで網２５が湾曲したり隙間があいたりすることを防止している。なお、横材２６は設けなくてもよい。
【００１３】
そして、図２において、外障子４は下框１３に戸車２８が収納され、枠体３の下枠８に設けた断面凸状部からなる下部外レール８ａ上に装着されて摺動可能とされている。同様に、内障子５は下框１８に戸車２９が収納され、枠体３の下枠８に設けた断面凸状部からなる下部内レール８ｂ上に装着されて摺動可能とされている。また、外障子４の上框１２には断面凹部形状の案内溝３３が形成され、枠体３の上枠７に形成された上部外レール７ａが案内溝３３内に収納されて外障子４の走行をガイドする。同様に、内障子５の上框１７には断面凹部形状の案内溝３４が形成され、枠体３の上枠７に形成された上部内レール７ｂが案内溝３４内に収納されて内障子５の走行をガイドする。
【００１４】
また、図２において、上部外レール７ａ、上部内レール７ｂは同一高さ位置まで垂下されており、その外側に位置する上枠７の外カバー７ｃは、上部外レール７ａ及び案内溝３３の嵌合部と、上部内レール７ｂ及び案内溝３４の嵌合部とを覆って雨や風や塵等から保護するものであり、上部外レール７ａや上部内レール７ｂと同様に下端部が同一高さ位置まで垂下している。
同様に上部内レール７ｂの内側に位置する内カバー７ｄも、上部外レール７ａ及び案内溝３３の嵌合部と上部内レール７ｂ及び案内溝３４の嵌合部とを覆って屋内からの美観を確保すると共に屋内の塵やほこり等から保護する。内カバー７ｄは、上部外レール７ａや上部内レール７ｂと同様に下端部がほぼ同一高さ位置まで垂下している。
【００１５】
そして、枠体３の屋内側には枠体３の形状に沿った四角形枠状をなす網戸用枠体３５が取り付けられている。網戸用枠体３５は枠体３の上枠７、下枠８、左右の縦枠９に対向する屋内側位置に上枠部３６、下枠部３７、左右の縦枠部３８をそれぞれ取り付け、ねじ３９Ａによってそれぞれ枠体３に連結されている。更に網戸用枠体３５の外側(上下方向)には同じく四角形枠状で例えば木製の額縁４１が連結されている。額縁４１は上下の額縁部材４１ａ、４１ｂと左右の額縁部材４１ｃが木ねじ３９Ｂによって網戸用枠体３５の上枠部３６、下枠部３７、左右の縦枠部３８にそれぞれ連結されている。なお、額縁４１はアルミ合金等の金属製でもよい。
【００１６】
下枠８の屋内側に連結した下枠部３７は例えば断面略階段状のアングル材からなり、一方の片３７ａがねじ３９Ａで下枠８に連結され、中間の片３７ｂが水平方向に延びていて木ねじ３９Ｂによって額縁部材４１ｂを固定している。しかも中間の片３７ｂの端部は上方に延びて凸状部をなす下レール４３を構成している。
また、上枠７の屋内側に連結した上枠部３６は例えば断面略階段状のアングル材からなり、一方の片３６ａがねじ３９Ａで上枠７に連結され、中間の片３６ｂが水平方向に延びていて木ねじ３９Ｂによって額縁部材４１ａに固定されている。しかも中間の片３６ｂの端部は下方に延びて断面凸状部をなす上レール４４を構成している。
【００１７】
そして、網戸用枠体３５の下レール４３と上レール４４との間に網戸１０が走行可能に装着されている。網戸１０の下框２３内に設けた戸車４５は下框２３内に延びる下レール４３上に装着されている。また、網戸１０の上框２２の上端部２２ａには下方向に延びる断面スリット状の網戸案内溝４６が形成され、この網戸案内溝４６内に上レール４４が挿入されている。そのため、網戸１０は下レール４３に装着された下端部の戸車４５と上レール４４によってガイドされる上端部２２ａの網戸案内溝４６とによって走行する。
また、装着状態の網戸１０はその上端部２２ａが屋外側に位置する上枠７の上部外レール７ａ、上部内レール７ｂ、外カバー７ｃ、内カバー７ｄの下端より上側に位置している。また、上枠７の内カバー７ｄと上レール４４との間の空間には虫除けパッキンとしてモヘア４７が上枠７から垂下されて空間を埋めており、虫等が外から侵入してこの空間に滞留することをモヘア４７によって防止できる。
【００１８】
なお、図３及び図４に示す枠体３において、外障子４が設置される下部外レール８ａ（または上部外レール７ａ）の外障子４の開放側端部には戸当たりブロック４８が固定され、外障子４を開放作動させる際、縦枠９に衝突しないようにしている。同様に内障子５が設置される下部内レール８ｂ（または上部内レール７ｂ）の内障子５の開放側端部にも戸当たりブロック４９が固定され、召し合わせ用の縦框２４に設けたクレセントが縦枠９に衝突しないようにしている。外障子４、内障子５はその開口位置でそれぞれ戸当たりブロック４８，４９に当接する。
【００１９】
また、図３及び図４において、網戸用枠体３５の左右の縦枠部３８には見付け面内でそれぞれ他方側に突出するストッパー枠５０が形成されている。一方、網戸１０の左右の縦框２４の左右方向外側端部には網戸１０を縦枠部３８に当接させた際にストッパー枠５０を受け入れる凹溝２４ａが形成されている。網戸１０は四角形枠状の框体に網２５を張った構成で剛性が小さいために左右の縦框２４が斜めに傾斜する場合があるが、縦框２４の凹溝２４ａ内にストッパー枠５０が挿入されることで、網戸１０の縦框２４の傾斜による縦枠部３８との隙間を隠すことができる。
また、網戸１０の左右の縦框２４にはひれ状の第一パッキン５２と第二パッキン５３が屋外側に向けて取り付けられている。第一パッキン５２は第二パッキン５３よりも突出長さが短く、内障子５の縦框１９に当接して虫等の侵入を防いで封止可能であり(図３参照)、第二パッキン５３は内障子５の複層ガラス１５に当接または近接した位置で虫等の侵入を防止している(図４参照)。
【００２０】
本第一実施形態による引き違い窓１は上述の構成を備えているから、図３に示す内外障子４，５の閉鎖状態から引き違い窓１を開ける場合には、例えば閉鎖状態にある内障子５をスライドさせて開放作動させる。そして、図４に示すように内障子５が戸当たりブロック４９に当接した位置で停止させて開口状態になる。あるいは、これとは逆に外障子４を開放作動させて開口状態にしてもよい。
次に網戸１０を下レール４３と上レール４４にガイドさせて下框２３の戸車４５と上框２２の網戸案内溝４６で走行させて開口を閉めた位置に移動させる。網戸１０の縦框２４の凹溝２４ａ内に縦枠部３８のストッパー枠５０が当接して停止し、網戸１０で開口から虫等が屋内に侵入することを防止できる。この位置で、図４において、網戸１０の左側の縦框２４と内障子５の複層ガラス１５との間に生じる隙間を縦框２４に設けた第二パッキン５３で封止する。
【００２１】
そして、図４に示すように引き違い窓１を開口させた状態で、網戸１０を閉鎖させる際、網戸１０が傾いたり湾曲したりして網戸１０の網戸案内溝４６が上レール４４から外れることがある。あるいは、引き違い窓１の開口を塞いだ状態の網戸１０に人や物がぶつかる等して網戸１０が弾性変形して網戸案内溝４６が上レール４４から外れることがある。すると、網戸１０の上框２２と一方の縦框２４との角部が開口内に倒れる。
これらの場合でも、網戸１０の上端部２２ａは上枠７に形成した上部外レール７ａ、上部内レール７ｂ、外カバー７ｃ、内カバー７ｄの下端部より上側に位置する高さのため、これらのいずれか、例えば直近の内カバー７ｄ、或いはこれを乗り越えて、隣の上部内レール７ｂ等に当接して停止し、網戸１０が開口を通して屋外側に突出したりすることを防止できる。
【００２２】
上述したように本実施形態による引き違い窓１によれば、装着状態の網戸１０の上端部２２ａがその屋外側に位置する上枠７の上部外レール７ａ、上部内レール７ｂ、外カバー７ｃ、内カバー７ｄの下端より上側に位置しているため、網戸１０の上端部２２ａの網戸案内溝４６が上レール４４から外れたとしても、網戸１０の上端部２２ａは倒れて上枠７の上部外レール７ａ、上部内レール７ｂ、外カバー７ｃ、内カバー７ｄのいずれかに当接し、開口を通して網戸１０が屋外側に突出したりすることを防止できる。
【００２３】
また、枠体３の屋内側に網戸用枠体３５を取り付けたため、枠体３の屋内側に従来なかった網戸１０用の上レール４４と下レール４３を設置することができる。そのため、引き違い窓１の外障子４や内障子５を単層ガラスからペアガラスやトリプルガラス等の複層ガラス１５に取り換えて屋内側に突出したとしても網戸１０を干渉させることなく屋内側に取り付けることができる。
また、枠体３の屋内側に取り付ける網戸用枠体３５は、アングル材である上枠部３６と下枠部３７にそれぞれ上レール４４と下レール４３を設けると共に額縁部材４１ａ、４１ｂを連結したので、別個に額縁部材４１ａ、４１ｂを取り付けるためのアングルを必要とせず、構成を簡単にできてコストを低減できる。しかも上レール４４と下レール４３を設けた上枠部３６と下枠部３７は、上枠７と下枠８に直接ねじどめしたから、額縁部材４１ａ、４１ｂに上レール４４と下レール４３を取り付ける構成と比較して取り付け精度が高い。
【００２４】
なお、本発明による引き違い窓１は、上述した実施形態に限定されるものではなく、本発明の要旨を逸脱しない範囲で適宜の変更や置換等が可能である。以下に、本発明の他の実施形態や変形例について説明するが、上述した第一実施形態と同一または同様な部材、部品等には同一の符号を用いて説明を省略する。
【００２５】
次に本発明の第二実施形態による引き違い窓６０について図５及び図６により説明する。図５に示す引き違い窓６０の網戸用枠体３５において、凸状部からなる下レール４３を備えた下枠部３７に代えて、断面凹溝をなす凹溝下レール６１を備えた断面略Ｌ字状の下枠部６２をアングル材として下枠８に固定した。下枠部６２は下枠８にねじ３９Ａで固定する一方の片６２ａと、凹溝下レール６１を有していて木ねじ３９Ｂによって額縁部材４１ｂを固定する他方の片６２ｂとを有している。そして、網戸１０の下框２３に凹溝下レール６１を走行可能な摺動部６３が設けられている。
【００２６】
また、網戸用枠体３５において、上レール４４を備えた上枠部３６に代えて、断面略逆Ｕ字状の凹溝上レール６５を備えた断面略階段状の上枠部６６を上枠７に固定した。上枠部６６は上枠７にねじ３９Ａで固定する一方の片６６ａと凹溝上レール６５とを有し、更に凹溝上レール６５には木ねじ３９Ｂによって額縁部材４１ａを固定する底部６６ｂを有している。そして、網戸１０の上框２２の上端に凹溝上レール６５内を走行可能な振れ止め摺動部６８が設けられている。
また、図６において、網戸用枠体３５の左右の縦枠部３８には、網戸１０の左右の縦框２４の凹溝２４ａを有する外側端部を当接させる受け面３８ａが形成されている。なお、受け面３８ａに代えて、第一実施形態のようにストッパー枠５０を設けて凹溝２４ａ内に侵入させて当接させてもよい。
【００２７】
本第二実施形態による引き違い窓６０においても、網戸１０の上框２２の上端部２２ａに設けた振れ止め摺動部６８は、上枠７の上部外レール７ａ、上部内レール７ｂ、外カバー７ｃ、内カバー７ｄの下端より上側に位置しているため、網戸１０の上端部２２ａの振れ止め摺動部６８が凹溝上レール６５から外れたとしても、振れ止め摺動部６８は上枠７の上部外レール７ａ、上部内レール７ｂ、外カバー７ｃ、内カバー７ｄのいずれか、例えば最も近い内カバー７ｄに当接し、開口を通して網戸１０が屋外側に突出したりすることを防止できる。
【００２８】
次に本発明の第三実施形態による引き違い窓７０について図７によって説明する。
図７に示す引き違い窓７０は第一実施形態による引き違い窓１と基本構成を共通にしている。相違点として、網戸用枠体３５は枠体３の上枠７、下枠８、左右の縦枠９に対向する屋内側位置に上枠部７１、下枠部７２、左右の縦枠部３８をそれぞれ取り付け、ねじ３９Ａによってそれぞれ枠体３に連結されている。更に網戸用枠体３５の外側（上下方向）には同じく四角形枠状で例えば木製の額縁４１が形成されており、額縁４１は上部の額縁部材４１ａ、下部の額縁部材４１ｂ、左右の額縁部材４１ｃが木ねじ３９Ｂによって上枠部７１、下枠部７２、左右の縦枠部３８にそれぞれ連結されている。
【００２９】
そして、下部の額縁部材４１ｂには断面略Ｌ字状のアングル材からなる下レール７３が木ねじ３９Ｂによって固定されている。また、上部の額縁部材４１ａにも断面略Ｌ字状のアングル材からなる上レール７４が木ねじ３９Ｂによって固定されている。
そして、下レール７３と上レール７４との間に網戸１０が走行可能に装着され、網戸１０の下框２３内に設けた戸車４５は下框２３内に延びる下レール７３上に装着されている。網戸１０の上框２２の上端部２２ａに形成された断面スリット状の網戸案内溝４６には、上レール７４が挿入されている。
そのため、網戸１０は下レール７３に装着された戸車４５と上レール７４によって走行をガイドされる網戸案内溝４６内とによってガイドされつつ走行する。
【００３０】
本第三実施形態による引き違い窓７０によれば、各額縁部材４１ａ、４１ｂ、４１ｃはそれぞれ上枠部７１、下枠部７２、左右の縦枠部３８によって枠体３に連結固定されており、上下部の額縁部材４１ａ、４１ｂに上レール７４、下レール７３を連結したから、屋内方向の任意の位置に上レール７４、下レール７３、そして網戸１０を取り付けることができる。しかも、既設の引き違い窓７０であっても、額縁４１の上下部の額縁部材４１ａ、４１ｂに上レール７４、下レール７３と網戸１０を取り付けできる。
【００３１】
なお、上述した各実施形態では、上部外レール７ａ、上部内レール７ｂ、外カバー７ｃ、内カバー７ｄの下端部がいずれも網戸１０の上端部２２ａより低い同一高さに設定されているが、これら上部外レール７ａ、上部内レール７ｂ、外カバー７ｃ、内カバー７ｄは異なる長さでもよく、この場合、最も高さの低い部材の下端部よりも網戸１０の上端部２２ａの高さが高ければよい。なお、本発明では網戸１０に近い内カバー７ｄや上部内レール７ｂの下端部を最も低くすることが倒れた網戸１０を止める上で好ましい。
なお、上枠７の最も下方に延びる下端部は上部外レール７ａ、上部内レール７ｂ、外カバー７ｃ、内カバー７ｄ以外の部材でもよい。
【００３２】
また、上述した実施形態では引き違い窓１，６０，７０について説明したが、本発明は引き違い窓に限らず、引き違い方式の障子やドア、扉等の引き違い戸等を含む、全ての引き違いサッシの網戸に適用できる。
なお、上述した各実施形態等では枠体３の屋内側に網戸用枠体３５を取り付ける構成としたが、これに代えて枠体３に網戸用枠体３５を一体形成してもよい。
また、本発明において、下レール４３，７３、凹溝下レール６１は網戸用下レールを構成し、上レール４４、７４、凹溝上レール６５は網戸用上レールを構成する。
【符号の説明】
【００３３】
１、６０、７０  引き違い窓
３  枠体
４  外障子
５  内障子
７  上枠
７ａ  上部外レール
７ｂ  上部内レール
７ｃ  外カバー
７ｄ  内カバー
８  下枠  
８ａ  下部外レール
８ｂ  下部内レール
１０  網戸
２２ａ  上端部
３５  網戸用枠体
３６、６６  上枠部
３７、６２  下枠部
４１，４１ａ、４１ｂ、４１ｃ  額縁部材
【図１】
0006401539.tif 000002
【図２】
0006401539.tif 000003
【図３】
0006401539.tif 000004
【図４】
0006401539.tif 000005
【図５】
0006401539.tif 000006
【図６】
0006401539.tif 000007
【図７】
0006401539.tif 000008